(57)【要約】【課題】足が不自由など何らかの理由により印刷物を取りに行くために労力を要するユーザであっても、他のユーザに気軽に印刷物を取りに行くことを依頼することが可能な複合機１００を提供する。【解決手段】端末装置から所定の印刷ジョブが受信されると、当該印刷ジョブの送信元の端末装置が、依頼元の端末装置か、依頼先の端末装置かを判定するジョブ受付手段４０１と、前記依頼先の端末装置である場合に、依頼催促通知を前記依頼元の端末装置に送信し、前記依頼元の端末装置である場合に、依頼お願い通知を前記依頼先の端末装置に送信する端末通知手段４０４と、前記依頼元の端末装置から依頼通知が受信される、又は、前記依頼先の端末装置から依頼了解通知が受信されると、当該依頼元の端末装置の印刷ジョブを、前記依頼先の端末装置の端末ＩＤに関連付けるジョブ関連付け手段４０５とを備える複合機１００を提供する。【選択図】図４
2014004809.tif 000002
【特許請求の範囲】
【請求項１】
ネットワークを介して接続された複数の端末装置のうち、所定の端末装置から送信された印刷ジョブを当該端末装置の端末ＩＤに関連付け、ユーザがログインした際に、当該ユーザのユーザＩＤに対応する端末ＩＤに関連付けられた印刷ジョブを出力する画像形成装置において、
前記端末装置から所定の印刷ジョブが受信されると、当該印刷ジョブの送信元の端末装置が、前記印刷ジョブの印刷物を取りに行ってもらうことを依頼する依頼元の端末装置か、前記印刷物を取りに行くことを依頼される依頼先の端末装置かを判定するジョブ受付手段と、
前記判定の結果、前記送信元の端末装置が前記依頼先の端末装置である場合に、当該依頼先の端末装置のユーザに前記依頼元の端末装置の印刷ジョブの印刷物を取りに行ってもらうことを依頼する依頼催促通知を、前記依頼元の端末装置に送信する端末通知手段と、
前記依頼元の端末装置から前記依頼先の端末装置のユーザへの依頼通知が受信されると、当該依頼元の端末装置の印刷ジョブを、前記依頼先の端末装置の端末ＩＤに関連付けるジョブ関連付け手段と
を備えることを特徴とする画像形成装置。
【請求項２】
ネットワークを介して接続された複数の端末装置のうち、所定の端末装置から送信された印刷ジョブを当該端末装置の端末ＩＤに関連付け、ユーザがログインした際に、当該ユーザのユーザＩＤに対応する端末ＩＤに関連付けられた印刷ジョブを出力する画像形成装置において、
前記端末装置から所定の印刷ジョブが受信されると、当該印刷ジョブの送信元の端末装置が、前記印刷ジョブの印刷物を取りに行ってもらうことを依頼する依頼元の端末装置か、前記印刷物を取りに行くことを依頼される依頼先の端末装置かを判定するジョブ受付手段と、
前記判定の結果、前記送信元の端末装置が前記依頼元の端末装置である場合に、当該依頼元の端末装置に予め関連付けられた依頼先の端末装置のユーザに当該依頼元の端末装置の印刷ジョブの印刷物を取りに行ってもらうことを依頼する依頼お願い通知を、前記依頼先の端末装置に送信する端末通知手段と、
前記依頼先の端末装置から前記依頼元の端末装置のユーザへの依頼了解通知が受信されると、当該依頼元の端末装置の印刷ジョブを、前記依頼先の端末装置の端末ＩＤに関連付けるジョブ関連付け手段と
を備えることを特徴とする画像形成装置。
【請求項３】
前記端末通知手段は、前記依頼お願い通知を前記依頼先の端末装置に送信する場合に、各依頼先の端末装置毎に予め設定された優先度が高い依頼先の端末装置に前記依頼お願い通知を優先的に送信する
請求項２に記載の画像形成装置。
【請求項４】
前記端末通知手段は、前記依頼お願い通知を前記依頼先の端末装置に送信した場合に、前記依頼先の端末装置から前記依頼元の端末装置のユーザへの依頼不可通知が受信されるか、前記依頼お願い通知を送信した時点からの経過時間が予め設定された所定の閾時間を超過すると、前記依頼先の端末装置と異なる依頼先の端末装置に前記依頼お願い通知を送信する
請求項２又は３に記載の画像形成装置。
【請求項５】
ネットワークを介して接続された複数の端末装置のうち、所定の端末装置から送信された印刷ジョブを当該端末装置の端末ＩＤに関連付け、ユーザがログインした際に、当該ユーザのユーザＩＤに対応する端末ＩＤに関連付けられた印刷ジョブを出力する画像形成装置の画像形成方法において、
前記端末装置から所定の印刷ジョブが受信されると、当該印刷ジョブの送信元の端末装置が、前記印刷ジョブの印刷物を取りに行ってもらうことを依頼する依頼元の端末装置か、前記印刷物を取りに行くことを依頼される依頼先の端末装置かを判定するステップと、
前記判定の結果、前記送信元の端末装置が前記依頼先の端末装置である場合に、当該依頼先の端末装置のユーザに前記依頼元の端末装置の印刷ジョブの印刷物を取りに行ってもらうことを依頼する依頼催促通知を、前記依頼元の端末装置に送信するステップと、
前記依頼元の端末装置から前記依頼先の端末装置のユーザへの依頼通知が受信されると、当該依頼元の端末装置の印刷ジョブを、前記依頼先の端末装置の端末ＩＤに関連付けるステップと
を備えることを特徴とする画像形成方法。
【請求項６】
ネットワークを介して接続された複数の端末装置のうち、所定の端末装置から送信された印刷ジョブを当該端末装置の端末ＩＤに関連付け、ユーザがログインした際に、当該ユーザのユーザＩＤに対応する端末ＩＤに関連付けられた印刷ジョブを出力する画像形成装置の画像形成方法において、
前記端末装置から所定の印刷ジョブが受信されると、当該印刷ジョブの送信元の端末装置が、前記印刷ジョブの印刷物を取りに行ってもらうことを依頼する依頼元の端末装置か、前記印刷物を取りに行くことを依頼される依頼先の端末装置かを判定するステップと、
前記判定の結果、前記送信元の端末装置が前記依頼元の端末装置である場合に、当該依頼元の端末装置に予め関連付けられた依頼先の端末装置のユーザに当該依頼元の端末装置の印刷ジョブの印刷物を取りに行ってもらうことを依頼する依頼お願い通知を、前記依頼先の端末装置に送信するステップと、
前記依頼先の端末装置から前記依頼元の端末装置のユーザへの依頼了解通知が受信されると、当該依頼元の端末装置の印刷ジョブを、前記依頼先の端末装置の端末ＩＤに関連付けるステップと
を備えることを特徴とする画像形成方法。
【請求項７】
請求項５又は６に記載の画像形成方法をコンピュータに実行させるためのプログラム。
【請求項８】
請求項７に記載のプログラムを記憶したコンピュータに読み取り可能な記憶媒体。
【発明の詳細な説明】
【技術分野】
【０００１】
本発明は、画像形成装置及び画像形成方法に関し、詳しくは、足が不自由など何らかの理由により印刷物を取りに行くために労力を要するユーザであっても、他のユーザに気軽に印刷物を取りに行くことを依頼することが可能な画像形成装置及び画像形成方法に関する。
【背景技術】
【０００２】
印刷装置と、この印刷装置に対して印刷ジョブを投入する端末装置とはネットワークなどで接続されて互いに離れた場所に設置されることがある。この場合、印刷ジョブを投入したユーザが印刷装置へ印刷物を取りに行く前に印刷が実行されると、その印刷物が他人の目に触れて機密が漏洩する虞がある。
【０００３】
そこで、端末装置から受信した印刷ジョブを印刷装置側で記憶してその印刷の実行を保留にしておき、印刷装置の操作部から所定のパスワードが入力されたことを条件に印刷を実行する親展印刷（機密印刷）機能を備えた印刷装置が存在する。
【０００４】
ここで、端末装置から前記印刷装置までやや距離があり、しかも直ぐにはその印刷物を必要としないような場合には、例えば、同じ居室に在籍している他の人が印刷物を取りに行くついでに自分の印刷物を持ってきて貰えれば非常に助かることがある。
【０００５】
しかしながら、上述した親展印刷の場合、印刷の権利を有する（パスワードを知っている）のは印刷ジョブを投入したユーザ本人だけなので、その印刷物を他人に取ってきて貰うためには、印刷装置に出向く用事のある他人を見つけ出し、その他人に口頭でパスワードを教えてお願いするなどの手間を要し、結局、面倒な作業が発生するという問題があった。
【０００６】
このような問題を解決する技術として、例えば、特開２００９−６６９２９号公報（特許文献１）には、指定した何れかの代行人に印刷して貰うのを待つ旨の設定がなされた印刷ジョブである依頼印刷ジョブの存在をユーザに通知するための通知手段と、外部端末から印刷ジョブを受信する受信手段と、前記依頼印刷ジョブを記憶するための記憶手段とを備えた印刷装置が開示されている。当該印刷装置は、ユーザを認証するユーザ認証手段と、印刷ジョブに基づく印刷を行う印刷手段とを備え、更に、前記受信手段が外部端末から受信した印刷ジョブが前記依頼印刷ジョブの場合は、該依頼印刷ジョブを前記記憶手段に記憶してその印刷の実行を保留にし、前記ユーザ認証手段によってユーザが認証されたことを条件に、この認証されたユーザを代行人の一人とする依頼印刷ジョブが前記記憶手段に記憶されているか否かを調べ、記憶されている場合は該依頼印刷ジョブの存在を前記通知手段により前記ユーザに通知するように制御する制御手段を有することを特徴とする。これにより、自分の印刷物を他人に取ってきて貰うための各種作業が支援され、印刷物の取得に係わる負担が軽減されるとしている。
【先行技術文献】
【特許文献】
【０００７】
【特許文献１】特開２００９−６６９２９号公報
【発明の概要】
【発明が解決しようとする課題】
【０００８】
しかしながら、特許文献１に記載の技術では、印刷物を取ってきて貰うユーザは、印刷物を取ってくる代行人のユーザが印刷することを待つ必要があるため、依頼者は、何時、印刷物を手に入れることが出来るのか不明であるという問題がある。一方、代行人のユーザとしては、依頼人のユーザが、印刷物の移動を希望していることをログインして初めて分かるので、依頼人のユーザが困っているか否か不明であるという問題がある。
【０００９】
そして、前記依頼人は、代行人に印刷物を取りに行ってもらうという依頼をする訳であるから、依頼時に代行人が業務を遂行しておりその遂行を邪魔する可能性もあり、そのことを考慮する依頼人の心理的負担は、特に大きく、気軽に代行人に印刷物の引き取りを頼むことが出来ないという根本的な問断がある。
【００１０】
そこで、本発明は、上述した問題を解決するためになされたものであり、足が不自由など何らかの理由により印刷物を取りに行くために労力を要するユーザであっても、他のユーザに気軽に印刷物を取りに行くことを依頼することが可能な画像形成装置及び画像形成方法を提供することを目的とする。
【課題を解決するための手段】
【００１１】
上述した課題を解決し、目的を達成するために、本発明に係る画像形成装置は、ネットワークを介して接続された複数の端末装置のうち、所定の端末装置から送信された印刷ジョブを当該端末装置の端末ＩＤに関連付け、ユーザがログインした際に、当該ユーザのユーザＩＤに対応する端末ＩＤに関連付けられた印刷ジョブを出力する画像形成装置を前提とし、以下の構成を採用する。
【００１２】
即ち、前記画像形成装置は、前記端末装置から所定の印刷ジョブが受信されると、当該印刷ジョブの送信元の端末装置が、前記印刷ジョブの印刷物を取りに行ってもらうことを依頼する依頼元の端末装置か、前記印刷物を取りに行くことを依頼される依頼先の端末装置かを判定するジョブ受付手段と、前記判定の結果、前記送信元の端末装置が前記依頼先の端末装置である場合に、当該依頼先の端末装置のユーザに前記依頼元の端末装置の印刷ジョブの印刷物を取りに行ってもらうことを依頼する依頼催促通知を、前記依頼元の端末装置に送信する端末通知手段と、前記依頼元の端末装置から前記依頼先の端末装置のユーザへの依頼通知が受信されると、当該依頼元の端末装置の印刷ジョブを、前記依頼先の端末装置の端末ＩＤに関連付けるジョブ関連付け手段とを備える。
【００１３】
又、前記画像形成装置は、前記端末装置から所定の印刷ジョブが受信されると、当該印刷ジョブの送信元の端末装置が、前記印刷ジョブの印刷物を取りに行ってもらうことを依頼する依頼元の端末装置か、前記印刷物を取りに行くことを依頼される依頼先の端末装置かを判定するジョブ受付手段と、前記判定の結果、前記送信元の端末装置が前記依頼元の端末装置である場合に、当該依頼元の端末装置に予め関連付けられた依頼先の端末装置のユーザに当該依頼元の端末装置の印刷ジョブの印刷物を取りに行ってもらうことを依頼する依頼お願い通知を、前記依頼先の端末装置に送信する端末通知手段と、前記依頼先の端末装置から前記依頼元の端末装置のユーザへの依頼了解通知が受信されると、当該依頼元の端末装置の印刷ジョブを、前記依頼先の端末装置の端末ＩＤに関連付けるジョブ関連付け手段とを備える。
【００１４】
又、前記端末通知手段は、前記依頼お願い通知を前記依頼先の端末装置に送信する場合に、各依頼先の端末装置毎に予め設定された優先度が高い依頼先の端末装置に前記依頼お願い通知を優先的に送信するよう構成することが出来る。
【００１５】
又、前記端末通知手段は、前記依頼お願い通知を前記依頼先の端末装置に送信した場合に、前記依頼先の端末装置から前記依頼元の端末装置のユーザへの依頼不可通知が受信されるか、前記依頼お願い通知を送信した時点からの経過時間が予め設定された所定の閾時間を超過すると、前記依頼先の端末装置と異なる依頼先の端末装置に前記依頼お願い通知を送信するよう構成することが出来る。
【００１６】
又、本発明は、ネットワークを介して接続された複数の端末装置のうち、所定の端末装置から送信された印刷ジョブを当該端末装置の端末ＩＤに関連付け、ユーザがログインした際に、当該ユーザのユーザＩＤに対応する端末ＩＤに関連付けられた印刷ジョブを出力する画像形成装置の画像形成方法として提供することが出来る。
【００１７】
即ち、前記画像形成方法は、前記端末装置から所定の印刷ジョブが受信されると、当該印刷ジョブの送信元の端末装置が、前記印刷ジョブの印刷物を取りに行ってもらうことを依頼する依頼元の端末装置か、前記印刷物を取りに行くことを依頼される依頼先の端末装置かを判定するステップと、前記判定の結果、前記送信元の端末装置が前記依頼先の端末装置である場合に、当該依頼先の端末装置のユーザに前記依頼元の端末装置の印刷ジョブの印刷物を取りに行ってもらうことを依頼する依頼催促通知を、前記依頼元の端末装置に送信するステップと、前記依頼元の端末装置から前記依頼先の端末装置のユーザへの依頼通知が受信されると、当該依頼元の端末装置の印刷ジョブを、前記依頼先の端末装置の端末ＩＤに関連付けるステップとを備える。
【００１８】
又、前記画像形成方法は、前記端末装置から所定の印刷ジョブが受信されると、当該印刷ジョブの送信元の端末装置が、前記印刷ジョブの印刷物を取りに行ってもらうことを依頼する依頼元の端末装置か、前記印刷物を取りに行くことを依頼される依頼先の端末装置かを判定するステップと、前記判定の結果、前記送信元の端末装置が前記依頼元の端末装置である場合に、当該依頼元の端末装置に予め関連付けられた依頼先の端末装置のユーザに当該依頼元の端末装置の印刷ジョブの印刷物を取りに行ってもらうことを依頼する依頼お願い通知を、前記依頼先の端末装置に送信するステップと、前記依頼先の端末装置から前記依頼元の端末装置のユーザへの依頼了解通知が受信されると、当該依頼元の端末装置の印刷ジョブを、前記依頼先の端末装置の端末ＩＤに関連付けるステップとを備える。
【００１９】
又、本発明は、電気通信回線などを介して個別に流通する、コンピュータに実行させるためのプログラムとして提供することができる。この場合、中央演算処理装置（ＣＰＵ）が、本発明のプログラムに従ってＣＰＵ以外の各回路と協働して制御動作を実現する。又、前記プログラム及びＣＰＵを用いて実現される各手段は、専用のハードウェアを用いて構成することもできる。又、当該プログラムは、ＣＤ−ＲＯＭなどのコンピュータ読み取り可能な記録媒体に記録された状態で流通させることも可能である。
【発明の効果】
【００２０】
本発明の画像形成装置及び画像形成方法によれば、足が不自由など何らかの理由により印刷物を取りに行くために労力を要するユーザであっても、他のユーザに気軽に印刷物を取りに行くことを依頼することが可能となる。
【図面の簡単な説明】
【００２１】
【図１】本発明に係る複合機の内部の全体構成を示す概念図である。
【図２】本発明に係る操作部の全体構成を示す概念図である。
【図３】本発明に係る複合機及び操作部の制御系ハードウェアの構成を示す図である。
【図４】本発明の実施形態における複合機及び操作部の機能ブロック図である。
【図５】本発明の実施形態の実行手順を示すための第一のフローチャートである。
【図６】本発明の実施形態の実行手順を示すための第二のフローチャートである。
【図７】本発明の実施形態のジョブ管理テーブルの一例を示す図（図７（Ａ））と、本発明の実施形態の依頼対象テーブルの一例を示す図（図７（Ｂ））である。
【図８】本発明の実施形態の待ち通知を示すメッセージの一例を示す図（図８（Ａ））と、本発明の実施形態の依頼催促通知を示すメッセージの一例を示す図（図８（Ｂ））である。
【図９】本発明の実施形態の正式依頼通知を示すメッセージの一例を示す図（図９（Ａ））と、本発明の実施形態の認証画面の一例を示す図（図９（Ｂ））である。
【図１０】本発明の実施形態のジョブ管理テーブルの一例を示す図（図１０（Ａ））と、本発明の実施形態の依頼お願い通知を示すメッセージの一例を示す図（図１０（Ｂ））である。
【図１１】本発明の実施形態の依頼許可通知を示すメッセージの一例を示す図（図１１（Ａ））と、本発明の実施形態の依頼不許可通知を示すメッセージの一例を示す図（図１１（Ｂ））である。
【発明を実施するための形態】
【００２２】
以下に、添付図面を参照して、本発明の画像形成装置及び画像形成方法の実施形態について説明し、本発明の理解に供する。尚、以下の実施形態は、本発明を具体化した一例であって、本発明の技術的範囲を限定する性格のものではない。又、フローチャートにおける数字の前に付されたアルファベットＳはステップを意味する。
【００２３】
＜画像形成装置＞
以下に、本発明の実施形態に係る画像形成装置について説明する。図１は、本発明の実施形態に係る画像形成装置の概略模式図である。但し、本発明に直接には関係しない各部の詳細は省略している。
【００２４】
尚、本発明の画像形成装置は、例えば、プリンタやスキャナ単体、あるいはプリンタ、コピー、スキャナ、ファックス等を備えた複合機等が該当し、コピー機能、スキャナ機能、ファクシミリ機能、プリンタ機能等を備えた画像形成装置として機能する。
【００２５】
以下に、例えば、コピー機能を利用する場合の複合機１００（ＭＦＰ：Ｍｕｌｔｉ  Ｆｕｎｃｔｉｏｎ  Ｐｅｒｉｐｈｅｒａｌ）の動作を簡単に説明する。
【００２６】
先ず、ユーザが複合機１００を利用する場合、原稿を筐体部の上面に備えられている原稿台１０１に載置する。続いて、ユーザは、前記原稿台１０１近傍に備えられている操作部１０２（操作パネル）を使用して、画像形成に関する設定条件の入力を当該操作部１０２の操作画面から入力する。又、ユーザが、前記複合機１００に通信可能に接続された端末装置を用いて所定の画像データ（印刷ジョブ）を予め当該複合機１００に送信している場合には、当該画像データの出力指示を入力する。この際、前記操作部１０２には認証画面が表示され、ユーザ認証が行なわれる。そして、ユーザが、前記操作部１０２に設けられたスタートキーを押下すると、複合機１００が画像形成（印刷処理）を開始する。
【００２７】
次に、画像読取部１０３において、光源１０４から照射された光が、前記原稿台１０１に置かれた原稿に反射される。反射された光は、ミラー１０５、１０６、１０７によって撮像素子１０８に導かれる。導かれた光は前記撮像素子１０８により光電変換されて、前記原稿に対応する画像データが生成される。
【００２８】
ここで、前記画像データは、例えば、通信部２００が、ネットワーク３００を介して通信可能に接続された端末装置３００ａ、３００ｂ（例えば、ＰＣ）から受信した画像データ（印刷ジョブ）であっても構わない。前記印刷ジョブには、画像形成に必要な設定条件等が予め含まれている。
【００２９】
さて、前記画像データに基づいてトナー像を形成する部分が画像形成部１０９である。前記画像形成部１０９には感光体ドラム１１０が備えられている。上記感光体ドラム１１０は、一定速度で所定の方向に回転し、その周囲には、回転方向の上流側から順に、帯電器１１１、露光ユニット１１２、現像器１１３、転写器１１４、クリーニングユニット１１５などが配置されている。
【００３０】
前記帯電器１１１は、前記感光体ドラム１１０表面を一様に帯電させる。前記露光ユニット１１２は、帯電された感光体ドラム１１０の表面に、前記画像データに基づいてレーザーを照射し、静電潜像を形成する。前記現像器１１４は、形成された静電潜像に、トナーを付着させてトナー像を形成する。形成されたトナー像は、前記転写器１１４により、記録媒体（例えば、用紙、シート）に転写される。前記クリーニングユニット１１５は、前記感光体ドラム１１０の表面に残された余分なトナーを取り除く。これらの一連のプロセスは、前記感光体ドラム１１０が回転することにより実行される。
【００３１】
前記シートは、複合機１００に備えられた複数の給紙カセット１１６から搬送される。搬送される時は、前記シートは、ピックアップローラ１１７により何れか１つの給紙カセット１１６から搬送路へ引き出される。各給紙カセット１１６には、それぞれ異なる紙種のシートが収容されており、画像形成に関する設定条件に基づいてシートが給紙される。
【００３２】
搬送路に引き出されたシートは、搬送ローラ１１８やレジストローラ１１９により感光体ドラム１１０と転写器１１４の間に送り込まれる。送り込まれると、前記シートは前記転写器１１４により前記トナー像が転写され、定着装置１２０に搬送される。
【００３３】
前記トナー像が転写されたシートが、前記定着装置１２０に備えられた加熱ローラと加圧ローラの間を通過すると、前記トナー像に熱と圧力が印加されて、可視像がシートに定着される。前記加熱ローラの熱量は、紙種に応じて最適に設定され、前記定着が適切に行われる。前記可視像がシートに定着されて画像形成が終了し、当該シートは搬送ローラ１１８により、経路切替部１２１へ導かれる。
【００３４】
前記経路切替部１２１では、前記複合機１００による切り替え指示により、前記シートを、前記筐体部の側面に設けられた排紙トレイ１２２へ案内したり、排紙口１２３を介して、前記筐体部の胴内に設けられた胴内トレイ１２４へ案内したりする。前記シートは、前記排紙トレイ１２２か胴内トレイ１２４に積載され、収容される。上記手順により、複合機１００の筐体部１２５は画像形成機能をユーザに提供する。
【００３５】
尚、例えば、前記筐体部の側面にフィニッシャなどの後処理装置が装着された場合、前記シートは、前記排紙トレイ１２２に代えて、当該後処理装置の多段トレイに排紙されることもある。
【００３６】
図２は、本発明の実施形態に係る操作部の全体構成を示す概念図である。ユーザは、前記操作部１０２を用いて、上述のような画像形成についての設定条件を入力したり、入力された設定条件を確認したりする。前記設定条件が入力される場合、前記操作部１０２に備えられたタッチパネル２０１（操作パネル）、タッチペン２０２、操作キー２０３が用いられる。
【００３７】
前記タッチパネル２０１には、設定条件を入力する機能と当該設定条件を表示する機能が兼ね備えられている。即ち、タッチパネル２０１上に表示された画面内のキーを押下することによって、当該押下されたキーに対応する設定条件が入力される。
【００３８】
前記タッチパネル２０１の背面には、ＬＣＤ（Ｌｉｑｕｉｄ  Ｃｒｙｓｔａｌ  Ｄｉｓｐｌａｙ）等の表示部（図示せず）が設けられており、当該表示部が、例えば、前記初期画面等の操作画面を表示する。前記タッチパネル２０１の近傍には、タッチペン２０２が備えられており、ユーザがそのタッチペン２０２の先をタッチパネル２０１に接触させると、タッチパネル２０１下に設けられたセンサーが接触先を検知する。
【００３９】
更に、タッチパネル２０１近傍には、所定数の操作キー２０３が設けられ、例えば、テンキー２０４、スタートキー２０５、クリアキー２０６、ストップキー２０７、リセットキー２０８、電源キー２０９が備えられている。
【００４０】
次に、図３を用いて、複合機１００の制御系ハードウェアの構成を説明する。図３は、本発明に係る複合機１００の制御系ハードウェアの構成を示す図である。ただし、本発明に直接には関係しない各部の詳細は省略している。
【００４１】
複合機１００の制御回路は、ＣＰＵ（Ｃｅｎｔｒａｌ  Ｐｒｏｃｅｓｓｉｎｇ  Ｕｎｉｔ）３０１、ＲＯＭ（Ｒｅａｄ  Ｏｎｌｙ  Ｍｅｍｏｒｙ）３０２、ＲＡＭ（Ｒａｎｄｏｍ  Ａｃｃｅｓｓ  Ｍｅｍｏｒｙ）３０３、ＨＤＤ（Ｈａｒｄ  Ｄｉｓｋ  Ｄｒｉｖｅ）３０４、各駆動部に対応するドライバ３０５、タッチパネル３０６（２０１）、操作キー３０７（２０３）、通信インターフェイス３０８（２００）を内部バス３０９によって接続している。
【００４２】
前記ＣＰＵ３０１は、例えば、ＲＡＭ３０３を作業領域として利用し、前記ＲＯＭ３０２、ＨＤＤ３０４等に記憶されているプログラムを実行し、当該実行結果に基づいて前記ドライバ３０５とタッチパネル３０６からのデータや指示、キーに対応する信号、命令等を授受し、前記図１に示した各駆動部の動作を制御する。又、前記通信インターフェイス３０８は、ネットワーク３００を介して、端末装置３００ａ、３００ｂと接続しており、前記ＣＰＵ３０１は、前記通信インターフェイス３０８を介して前記端末装置３００ａ、３００ｂから画像データ（印刷ジョブ）を受信したり、当該端末装置３００ａ、３００ｂに所定の情報を送信したりする。
【００４３】
又、前記駆動部以外の後述する各手段（図４に示す）についても、前記ＣＰＵ３０１がプログラムを実行することで当該各手段を実現する。前記ＲＯＭ３０２、ＨＤＤ３０４等には、以下に説明する各手段を実現するプログラムやデータが記憶されている。
【００４４】
＜本発明の実施形態＞
次に、図４−図６を参照しながら、本発明の実施形態に係る構成及び実行手順について説明する。図４は、本発明の複合機の機能ブロック図である。図５、図６は、本発明の実行手順を示すためのフローチャートである。
【００４５】
先ず、所定のユーザ（ユーザＡとする）が、自己の端末装置３００ａ（端末Ａとする）を用いて、ネットワーク３００を介して通信可能に接続された複合機１００に、所定の画像データで画像形成をする旨の印刷ジョブ（印刷ジョブＡとする）を送信すると、当該複合機１００のジョブ受付手段４０１は、前記端末Ａからの印刷ジョブＡを受信して（図５：Ｓ１０１）、当該端末Ａと、当該端末Ａの所有者であるユーザＡと、当該印刷ジョブＡとを関連付ける（図５：Ｓ１０２）。
【００４６】
前記関連付ける方法は、どのような方法でも構わないが、例えば、前記ジョブ受付手段４０１が、ジョブ管理記憶手段４０２に予め記憶されているジョブ管理テーブルを参照する。
【００４７】
前記ジョブ管理テーブル７００には、図７（Ａ）に示すように、端末装置を識別するための端末ＩＤ７０１（例えば、「端末Ａ」、「端末Ｂ」など）と、当該端末ＩＤ７０１の端末装置の所有者であるユーザを識別するためのユーザＩＤ７０２（例えば、「ユーザＡ」、「ユーザＢ」など）と、当該ユーザＩＤ７０２に対して予め設定されたパスワード７０３（例えば、「ユーザＡ」に対するパスワード「ａａａａ」など）と、当該端末ＩＤ７０１の端末装置から受信したジョブ情報（例えば、「印刷ジョブＡ」など）とが関連付けて記憶されている。
【００４８】
ここで、前記ジョブ受付手段４０１は、前記ジョブ管理テーブル７００の端末ＩＤ７０１のうち、前記印刷ジョブＡの送信元の端末Ａの端末ＩＤ（「端末Ａ」）に関連付けられたジョブ情報７０４に、当該印刷ジョブＡを記憶させる。これにより、前記印刷ジョブと、それを送信した端末装置と、これの所有者であるユーザとを関連付けることが可能となる。
【００４９】
次に、前記ジョブ受付手段４０１は、前記印刷ジョブＡの送信元の端末装置が、所定の印刷ジョブの印刷物を取りに行ってもらうことを依頼する依頼元の端末装置か、当該印刷物を取りに行くことを依頼される依頼先の端末装置かを判定する（図５：Ｓ１０３）。
【００５０】
前記判定方法は、どのような方法でも構わないが、例えば、前記ジョブ受付手段４０１は、依頼対象記憶手段４０３に予め記憶されている依頼対象テーブルを参照する。
【００５１】
前記依頼対象テーブル７０５には、図７（Ｂ）に示すように、依頼元の端末装置を示す依頼元端末ＩＤ７０６（例えば、「端末Ｂ」）と、依頼先の端末装置を示す依頼先端末ＩＤ７０７（例えば、「端末Ａ」、「端末Ｃ」）と、当該依頼先端末ＩＤ７０７の優先順位を示す優先度７０８（例えば、最も高い「１」、２番目に高い「２」など）とが関連付けて記憶されている。
【００５２】
ここで、前記依頼元端末ＩＤ７０６には、例えば、足が不自由なユーザが所有する端末装置の端末ＩＤが記憶され、前記依頼先端末ＩＤ７０７には、例えば、足が健常で、足が不自由なユーザのために印刷物を気軽に取りに行ってくれるユーザの端末装置の端末ＩＤが記憶される。
【００５３】
前記ジョブ受付手段４０１は、前記印刷ジョブＡの送信元の端末装置の送信元端末ＩＤ（「端末Ａ」）と、前記依頼対象テーブル７０５の依頼元端末ＩＤ７０６（「端末Ｂ」）、依頼先端末ＩＤ７０７（「端末Ａ」など）とを比較して、前記送信元端末ＩＤが、前記依頼元端末ＩＤ又は依頼先端末ＩＤに一致するか否かを判定する。
【００５４】
前記判定の結果、前記送信元端末ＩＤが前記依頼元端末ＩＤと一致する場合は（図５：Ｓ１０３ＹＥＳ）、前記ジョブ受付手段４０１が、前記送信元の端末装置が前記依頼元の端末装置であると判定する。この後の処理については、後述する。
【００５５】
一方、前記送信元端末ＩＤ（「端末Ａ」）が前記依頼先端末ＩＤ（「端末Ａ」）と一致する場合は（図５：Ｓ１０３ＮＯ）、前記ジョブ受付手段４０１が、前記送信元の端末装置が前記依頼先の端末装置であると判定し、その旨を端末通知手段４０４に通知する。当該通知を受けた端末通知手段４０４は、先ず、前記依頼先の端末装置（「端末Ａ」）のユーザＡに暫くその場で待ってもらう旨の待ち通知を前記端末Ａに送信する（図５：Ｓ１０４）。当該待ち通知を受信した端末Ａは、液晶ディスプレイの画面の一部に前記待ち通知を示すメッセージを表示する。
【００５６】
前記メッセージ８００には、図８（Ａ）に示すように、複合機１００がユーザＡの印刷ジョブＡを受信した旨８０１と、前記依頼元の端末装置のユーザ（ユーザＢとする）に、ユーザＡの印刷ジョブＡがあることを通知するため、暫く待ってもらう旨８０２が表示される。これにより、依頼先のユーザＡは、自己の印刷ジョブＡが複合機１００に受信されたことを確認出来るとともに、自己の印刷ジョブＡの印刷物を直ぐに取りに行かせることを防止して、依頼元のユーザＢの印刷物を一緒に取りに行く機会を失うことを防止する。
【００５７】
次に、前記端末通知手段４０４は、前記依頼先の端末Ａから印刷ジョブＡを受け付けたので、当該端末ＡのユーザＡに前記依頼元の端末装置（「端末Ｂ」）の印刷ジョブの印刷物を取りに行ってもらうことを依頼する依頼催促通知を、前記端末Ｂに送信する（図５：Ｓ１０５）。当該依頼催促通知を受信した端末Ｂは、液晶ディスプレイの画面の一部に前記依頼催促通知を示すメッセージを表示する（図５：Ｓ１０６）。
【００５８】
前記メッセージ８０３には、図８（Ｂ）に示すように、複合機１００がユーザＡの印刷ジョブＡを受信した旨８０４と、当該ユーザＡにユーザＢ（自己）の印刷ジョブ（印刷ジョブＢとする）の印刷物を取りに行ってもらう依頼を促す旨８０５と、依頼することを示す「依頼する」キー８０６と、依頼しないことを示す「依頼しない」キー８０７とが表示される。これにより、ユーザＢは、依頼先のユーザＡが印刷ジョブＡを複合機１００に送信していることを認識し、当該ユーザＡに当該印刷ジョブＡの印刷物を取りに行くついでに自己の印刷ジョブＢの印刷物を取りに行ってもらうことを気軽に依頼することが可能となる。
【００５９】
ここで、ユーザＢが、前記依頼催促通知を示すメッセージ８０３を見ながら、「依頼する」キー８０６を押下すると、前記端末Ｂが、当該「依頼する」キー８０６の押下を受け付けて、その旨を端末通知手段４０４に通知し、当該通知を受けた端末通知手段４０４は、端末ＢのユーザＢが端末ＡのユーザＡへ依頼した依頼通知を受信して、ユーザＢがユーザＡに依頼したと判定し（図５：Ｓ１０６ＹＥＳ）、その旨を複合機１００のジョブ関連付け手段４０５に通知する。当該通知を受けたジョブ関連付け手段４０５は、前記依頼元の端末Ｂの印刷ジョブＢを、前記依頼先の端末Ａの端末ＩＤ（「端末Ａ」）に関連付ける（後述する）。又、前記端末通知手段４０４は、前記依頼元の端末Ｂの印刷ジョブＢの印刷物を取りに行ってもらうことを依頼する正式依頼通知を前記依頼先の端末Ａに送信する（図５：Ｓ１０７）。当該正式依頼通知を受信した端末Ａは、液晶ディスプレイの端面の一部に前記正式依頼通知を示すメッセージを表示する。
【００６０】
前記メッセージ９００には、図９に示すように、ユーザＢがユーザＡに印刷ジョブＢの印刷物を取りに行って欲しいと依頼している旨９０１と、ユーザＡに前記印刷ジョブＢの印刷物を取ってきてユーザＢに渡して欲しい旨９０２とが表示される。これにより、ユーザＡは、ユーザＢから印刷ジョブＢの印刷物の引き取りを依頼されたことを認識することが可能となり、直ちに複合機１００へ自己の印刷ジョブＡの印刷物とユーザＢの印刷ジョブＢの印刷物とを取りに行くことになる。
【００６１】
一方、ユーザＢは、Ｓ１０６で、ユーザＡに自己の印刷ジョブＢの印刷物の引き取りを依頼すると（図５：Ｓ１０６ＹＥＳ）、前記端末Ｂを介して所定の印刷ジョブＢを複合機１００に送信し、前記ジョブ受付手段４０１は、前記依頼元の端末Ｂからの印刷ジョブＢを受信して（図５：Ｓ１０８）、その旨を前記ジョブ関連付け手段４０５に通知する。当該通知を受けたジョブ関連付け手段４０５は、前記端末通知手段４０４の通知に基づき、前記依頼元の端末Ｂの印刷ジョブＢを、前記依頼先の端末Ａの端末ＩＤ（「端末Ａ」）に関連付ける（図５：Ｓ１０９）。
【００６２】
前記関連付け方法は、どのような方法でも構わないが、例えば、前記ジョブ関連付け手段４０５が、前記ジョブ管理テーブル７００の端末ＩＤ７０１のうち、前記依頼先の端末ＩＤ（「端末Ａ」）に関連付けられたジョブ情報７０４に、前記依頼元の端末Ｂの印刷ジョブＢを関連付けて記憶させる。これにより、前記依頼先のユーザＡが、前記依頼元のユーザＢの印刷ジョブＢを複合機１００に実行させることが可能となる。
【００６３】
尚、前記Ｓ１０９では、前記ジョブ関連付け手段４０５が、前記依頼元の端末Ｂの印刷ジョブＢを受信した後に（図５：Ｓ１０８）、当該印刷ジョブＢを依頼先の端末Ａに関連付けるよう構成したが（図５：Ｓ１０９）、例えば、ユーザＢが、前記Ｓ１０６において、ユーザＡに印刷ジョブＢの印刷物を取りに行くことを依頼する際に、当該依頼とともに、端末Ｂを介して印刷ジョブＢを複合機１００に送信した場合には、前記ジョブ関連付け手段４０５は、Ｓ１０８を省略して、Ｓ１０９における関連付けの処理を実行しても構わない。
【００６４】
さて、前記関連付けが完了すると、前記依頼を受けたユーザＡが、複合機１００へ向かって行き、当該複合機１００の操作部１０２に接触すると、当該複合機１００の表示受付手段４０６が、ユーザ認証のための認証画面をタッチパネル２０１上に表示して、ユーザを認証する（図５：Ｓ１１０）。
【００６５】
前記認証画面９０３には、図９（Ｂ）に示すように、ユーザＩＤとパスワードとの入力をユーザに促す旨のメッセージ９０４と、ユーザＩＤを入力可能なユーザＩＤ入力欄９０５と、パスワードを入力可能なパスワード入力欄９０６と、ユーザＩＤとパスワードとを入力するためのキーボードキー９０７と、「ＯＫ」キー９０８とが表示される。
【００６６】
ユーザＡは、前記認証画面９０３を見ながら、キーボードキー９０７を用いて自己のユーザＩＤ「ユーザＡ」と自己のパスワード「ａａａａ」とをユーザＩＤ入力欄９０５とパスワード入力欄９０６とにそれぞれ入力し、「ＯＫ」キー９０８を押下すると、前記表示受付手段４０６は、入力されたユーザＩＤ（入力ユーザＩＤ）とパスワード（入力パスワード）とを受け付け、当該入力ユーザＩＤと入力パスワードと、前記ジョブ管理テーブルのユーザＩＤ（比較ユーザＩＤ）とパスワード（比較パスワード）とを参照して、ユーザを認証する（図５：Ｓ１１０）。
【００６７】
ここで、前記表示受付手段４０６は、入力ユーザＩＤと比較パスワードとが一致するか否か、両者が一致すれば、更に、入力パスワードと比較パスワードとが一致するか否かを判定する。
【００６８】
前記判定の結果、入力ユーザＩＤと比較ユーザＩＤとが不一致である場合や、入力パスワードと比較パスワードとが不一致である場合（図５：Ｓ１１０ＮＯ）、前記表示受付手段４０６は、前記入力ユーザＩＤと入力パスワードとを消去し、再度、新たなユーザＩＤとパスワードとを受け付ける（図５：Ｓ１１０）。
【００６９】
一方、前記判定の結果、入力ユーザＩＤと比較ユーザＩＤとが一致し、且つ、入力パスワードと比較パスワードとが一致する場合（図５：Ｓ１１０ＹＥＳ）、前記表示受付手段４０６は、ユーザをログインさせ（ログイン成功）、その旨をジョブ出力手段４０７に通知する。当該通知を受けたジョブ出力手段４０７は、前記ジョブ管理テーブル７００を参照し、前記ログインしたユーザのユーザＩＤ７０２（「ユーザＡ」）に対応する端末ＩＤ７０１（「端末Ａ」）にジョブが存在するか否かを判定する（図５：Ｓ１１１）。
【００７０】
前記ジョブが存在するか否かの判定方法は、どのような方法でも構わないが、例えば、前記ジョブ管理テーブル７００のジョブ情報７０４にジョブが存在するか否かを判定することでなされる。
【００７１】
ここで、ユーザＡのユーザＩＤに対応する端末Ａには、上述したように、ユーザＡの印刷ジョブＡとともに、ユーザＢの印刷ジョブＢが関連付けられている。そのため、前記ジョブ出力手段４０７は、前記ログインしたユーザのユーザＩＤ７０２（「ユーザＡ」）に対応する端末ＩＤ７０１（「端末Ａ」）にジョブが存在すると判定し（図５：Ｓ１１１ＹＥＳ）、当該端末ＩＤ７０１（「端末Ａ」）に存在するジョブ、つまり、前記端末Ａに関連付けられた印刷ジョブＡと、印刷ジョブＢとを実行する（図５：Ｓ１１２）。
【００７２】
ここで、前記ジョブ出力手段４０７が、２種類以上の異なる印刷ジョブを実行する場合は、例えば、前記印刷ジョブの印刷物を各印刷ジョブ毎に排紙先を変えて排紙する。例えば、前記ジョブ出力手段４０７が、各印刷ジョブ毎に前記複合機１００の経路切替部１２１を適宜動作させて、印刷ジョブＡの印刷物を所定の排紙先（排紙トレイ１２２）に排紙するとともに、印刷ジョブＢの印刷物を当該排紙先と異なる排紙先（胴内トレイ１２３）に排紙する。これにより、ユーザＡの印刷物とユーザＢの印刷物とを区別して出力することが可能となり、ユーザＡが、ユーザＢの印刷物を取った時に、自己の印刷物を混同するおそれを無くすることが可能となる。
【００７３】
さて、前記印刷ジョブの実行が完了すると、ユーザＡは、自己の印刷物とともにユーザＢの印刷物を取って、当該ユーザＢの印刷物をユーザＢに持って行く。ユーザＢは、ユーザＡからユーザＢ（自己）の印刷物を受け取って、上述した印刷物の引き取り依頼に関する全ての処理は完了することになる。
【００７４】
一方、例えば、前記ログインしたユーザが、所定のジョブを送信していないユーザ（例えば、ユーザＣ）である場合には、前記ジョブ管理テーブル７００の端末ＩＤ７０１のうち、前記ログインしたユーザＣのユーザＩＤ７０２（「ユーザＣ」）の端末ＩＤ７０１（「端末Ｃ」）に関連付けられたジョブ情報７０４にジョブが存在しないため（図５：Ｓ１１１ＮＯ）、前記ジョブ出力手段４０７は、何もせず、上述した印刷物の引き取り依頼に関する全ての処理は完了する。
【００７５】
ところで、上述では、複合機１００に印刷ジョブを送信したユーザが、前記依頼先のユーザＡである場合について説明したが、前記依頼元のユーザＢである場合は、以下のようになる。
【００７６】
即ち、Ｓ１０１において、ユーザＢが、端末Ｂを用いて、複合機１００に所定の印刷ジョブＢを送信すると、前記ジョブ受付手段４０１が、当該端末Ｂからの印刷ジョブＢを受け付けて（図５：Ｓ１０１）、図１０（Ａ）に示すように、前記ジョブ管理テーブル７００の端末ＩＤ７０１のうち、前記印刷ジョブＢの送信元の端末Ｂの端末ＩＤ（「端末Ｂ」）に関連付けられたジョブ情報７０４に、当該印刷ジョブＢを記憶させて、当該端末Ｂと、当該端末Ｂの所有者のユーザＢと、当該印刷ジョブＢとを関連付ける（図５：Ｓ１０２）。
【００７７】
次に、前記ジョブ受付手段４０１は、前記印刷ジョブＢの送信元の端末装置が、前記依頼元の端末装置か、前記依頼先の端末装置かを判定する（図５：Ｓ１０３）。
【００７８】
ここで、前記送信元の端末Ｂの端末ＩＤ（「端末Ｂ」）は、前記依頼対象テーブル７０５の前記依頼元端末ＩＤと一致するため（図５：Ｓ１０３ＹＥＳ）、前記ジョブ受付手段４０１が、前記送信元の端末装置が前記依頼元の端末装置であると判定し、その旨を端末通知手段４０４に通知する。当該通知を受けた端末通知手段４０４は、前記依頼元の端末Ｂに予め関連付けられた依頼先の端末装置（例えば、「端末Ａ」など）のユーザ（「ユーザＡ」）に当該依頼元の端末Ｂの印刷ジョブＢの印刷物を取りに行ってもらうことを依頼する依頼お願い通知を、前記依頼先の端末装置に送信する。
【００７９】
ここで、前記依頼お願い通知を前記依頼先の端末装置に送信する方法は、どのような方法でも構わないが、例えば、前記端末通知手段４０４が、前記依頼対象テーブル７０５の依頼元端末ＩＤ７０６に関連付けられた依頼先端末ＩＤ７０７を参照し、当該参照した依頼先端末ＩＤ７０７のうち、未だに前記依頼お願い通知を送信していない依頼先端末ＩＤ７０７があるか否かを判定する（図６：Ｓ２０１）。
【００８０】
前記判定の結果、未だに前記依頼お願い通知を送信していない依頼先端末ＩＤ７０７（例えば、「端末Ａ」、「端末Ｃ」）がある場合（図６：Ｓ２０１ＹＥＳ）、前記端末通知手段４０４は、当該依頼先端末ＩＤ７０７（未通知依頼先端末ＩＤとする）の端末装置に前記依頼お願い通知を送信する（図６：Ｓ２０２）。
【００８１】
ここで、前記端末通知手段４０４が前記未通知依頼先端末ＩＤの端末装置に前記依頼お願い通知を送信する場合、例えば、各未通知依頼先端末ＩＤの端末装置毎に予め設定された優先度が高い未通知依頼先端末ＩＤの端末装置に前記依頼お願い通知を優先的に送信する。
【００８２】
例えば、前記依頼対象テーブル７０５の未通知依頼先端末ＩＤ７０７（「端末Ａ」、「端末Ｃ」）のうち、優先度７０８が最も高い（優先度が「１」である）未通知依頼先端末ＩＤ７０７（「端末Ａ」）の端末装置に、最初に前記依頼お願い通知を送信する。これにより、特定の依頼先の端末装置に優先的に依頼元の印刷物の引き取りを依頼することが可能となる。
【００８３】
次に、前記依頼お願い通知を送信した端末通知手段４０４は、予め設けられたタイマーを用いて、当該依頼お願い通知を送信した時点からの経過時間の計時を開始し（図６：Ｓ２０３）、当該経過時間と予め設定された所定の閾時間（例えば、１分、３分、５分など）とを比較して、前記経過時間が前記閾時間を超過するか否かを判定する（図６：Ｓ２０４）。
【００８４】
一方、前記依頼お願い通知を受信した端末Ａは、液晶ディスプレイの端面の一部に前記依頼お願い通知を示すメッセージを表示する。
【００８５】
前記メッセージ１０００には、図１０（Ｂ）に示すように、複合機１００がユーザＢから印刷ジョブＢを受け取った旨１００１と、ユーザＢの印刷ジョブＢの印刷物を取りに行って欲しい旨１００２と、取りに行ける旨を示す「取りに行けます」キー１００３（依頼受任）と、取りに行けない旨を示す「今は無理です」キー１００４（依頼不受任）とが表示される。これにより、ユーザＡは、ユーザＢから印刷ジョブＢの印刷物の引き取りを依頼されたことを認識するとともに、取りに行くかどうかを検討して返信することが可能となる。
【００８６】
ここで、前記経過時間が前記閾時間を超過する前に（図６：Ｓ２０４ＮＯ）、ユーザＡは、前記依頼お願い通知を示すメッセージ１０００を見ながら、前記「今は無理です」キー１００４を押下すること無く（図６：Ｓ２０５ＮＯ）、「取りに行けます」キー１００３を押下すると（図６：Ｓ２０６ＹＥＳ）、前記端末Ａが、当該「取りに行けます」キーの押下を受け付けて、その旨を端末通知手段４０４に通知し、当該通知を受けた端末通知手段４０４は、端末ＡのユーザＡが端末ＢのユーザＢへ依頼を了解した依頼了解通知を受信して、前記依頼元の端末Ｂに、前記依頼先の端末ＡのユーザＡが印刷物の引き取りの依頼を許可した依頼許可通知を送信する（図６：Ｓ２０７）。当該依頼許可通知を受信した端末Ｂは、液晶ディスプレイの端面の一部に前記依頼許可通知を示すメッセージを表示する。
【００８７】
前記メッセージ１１００には、図１１（Ａ）に示すように、ユーザＡがユーザＢの印刷物の引き取りの依頼を許可（承諾）した旨１１０１と、ユーザＡからユーザＢの印刷物を受け取る旨１１０２とが表示される。これにより、ユーザＢは、ユーザＡがユーザＢの印刷物の引き取りを承諾したことを認識することが可能となる。
【００８８】
次に、前記端末通知手段４０４は、前記依頼許可通知の送信を完了すると、その旨をジョブ関連付け手段４０５に通知し、当該通知を受けたジョブ関連付け手段４０５は、前記依頼元の端末Ｂに関連付けられた印刷ジョブＢを、前記依頼先の端末Ａの端末ＩＤ（「端末Ａ」）に関連付ける（図６：Ｓ２０８）。
【００８９】
例えば、前記ジョブ関連付け手段４０５が、図１０（Ａ）に示すジョブ管理テーブル７００の端末ＩＤ７０１のうち、前記依頼先の端末ＩＤ（「端末Ａ」）に関連付けられたジョブ情報７０４に、前記依頼元の端末Ｂの印刷ジョブＢを関連付けて記憶させることで、当該印刷ジョブＢを、前記端末Ａに関連付ける。これにより、前記依頼先のユーザＡが、前記依頼元のユーザＢの印刷ジョブＢを複合機１００に実行させることが可能となる。
【００９０】
尚、前記端末Ａに前記印刷ジョブＢを関連付ける際に、前記端末Ｂに既に関連付けられた印刷ジョブＢを残存させても消去しても良いし、前記端末Ａに関連付けられた印刷ジョブＢが実行された際に、前記端末Ｂに関連付けられた印刷ジョブＢを消去しても構わない。
【００９１】
さて、前記関連付けが完了すると、Ｓ１１０へ移行し、前記依頼を許可したユーザＡが、前記表示受付手段４０６の認証画面９０３を介して認証することになる（図５：Ｓ１１０）。この後の処理については、上述と同様であるため、その説明を割愛する。
【００９２】
一方、Ｓ２０４において、前記経過時間が前記閾時間を超過する前に（図６：Ｓ２０４ＮＯ）、ユーザＡが、前記依頼お願い通知を示すメッセージ１０００を見ながら、「今は無理です」キー１００４を押下した場合（図６：Ｓ２０５ＹＥＳ）、又は、ユーザＡが、端末Ａの前に居らず、前記経過時間が前記閾時間を超過した場合（図６：Ｓ２０４ＹＥＳ）、前記端末通知手段４０４は、前記端末Ａから「今は無理です」キー１００４の押下を受信するか、言い換えると、前記端末ＡのユーザＡが端末ＢのユーザＢへ依頼を不可とした依頼不可通知を受信するか、前記閾時間の超過を判定して、前記タイマーを停止し、Ｓ２０１へ戻り、前記未通知依頼先端末ＩＤの端末装置があるか否かを判定する（図６：Ｓ２０１）。
【００９３】
ここで、既に依頼お願い通知を送信した端末Ａの優先度「１」より低い優先度「２」の端末Ｃには、未だに依頼お願い通知を送信していないため、前記端末通知手段４０４は、前記未通知依頼先端末ＩＤの端末装置があると判定して（図６：Ｓ２０１ＹＥＳ）、上述と同様に、当該未通知依頼先端末ＩＤの端末装置（端末Ｃ）に前記依頼お願い通知を送信することになる（図６：Ｓ２０２）。尚、この後の処理については、上述と同様であるため、その説明を割愛する。
【００９４】
一方、Ｓ２０１において、前記端末通知手段４０４が、全ての依頼先端末ＩＤの端末装置に前記依頼お願い通知を送信した結果、誰も依頼許可をせず、前記未通知依頼先端末ＩＤの端末装置がない場合（図６：Ｓ２０１ＮＯ）、言い換えると、ユーザＢの印刷物を取りに行くことを許可するユーザが一人も居なかった場合、前記端末通知手段４０４は、前記依頼元の端末Ｂに、前記依頼先の端末装置のユーザが一人も印刷物の引き取りの依頼を許可しなかった依頼不許可通知を送信する（図６：Ｓ２０１ＮＯ）。当該依頼不承諾通知を受信した端末Ｂは、液晶ディスプレイの端面の一部に前記依頼不許可通知を示すメッセージを表示する。
【００９５】
前記メッセージ１１０３には、図１１（Ｂ）に示すように、前記依頼先の端末のユーザが一人も印刷物の引き取り依頼を許可しなかった旨１１０４と、ユーザＢに自分で印刷物を取りに行くことを促す旨１１０５とが表示される。これにより、ユーザＢは、現時点では、誰も印刷物を取りに行く代行人が居ないことを認識し、自己の印刷物を自分で取りに行くことを認識することが可能となる。
【００９６】
尚、前記端末通知手段４０４が、前記依頼不許可通知を送信した後は、Ｓ１１０に移行し、この後の処理については、上述と同様であるため、その説明を割愛する。
【００９７】
このように、本発明の複合機１００は、前記端末装置から所定の印刷ジョブが受信されると、当該印刷ジョブの送信元の端末装置が、前記印刷ジョブの印刷物を取りに行ってもらうことを依頼する依頼元の端末装置か、前記印刷物を取りに行くことを依頼される依頼先の端末装置かを判定するジョブ受付手段４０１と、前記判定の結果、前記送信元の端末装置が前記依頼先の端末装置である場合に、当該依頼先の端末装置のユーザに前記依頼元の端末装置の印刷ジョブの印刷物を取りに行ってもらうことを依頼する依頼催促通知を、前記依頼元の端末装置に送信する端末通知手段４０４と、前記依頼元の端末装置から前記依頼先の端末装置のユーザへの依頼通知が受信されると、当該依頼元の端末装置の印刷ジョブを、前記依頼先の端末装置の端末ＩＤに関連付けるジョブ関連付け手段４０５とを備える。
【００９８】
これにより、依頼元のユーザが、依頼先のユーザの印刷物の取りに行く時点を把握し易く、当該依頼先のユーザが印刷物を取りに行くついでに、依頼元のユーザが、当該依頼先のユーザに自己の印刷物も取りに行ってもらうことを依頼し易く、心理的な負担を軽減することが可能となる。そのため、依頼元のユーザが、特に、足が不自由で、自由に歩けない場合であると、気軽に依頼先のユーザに印刷物の引き取りを依頼し易くなり、全体としての業務の進行を円滑にすることが出来る。
【００９９】
又、本発明の複合機１００は、前記端末装置から所定の印刷ジョブが受信されると、当該印刷ジョブの送信元の端末装置が、前記印刷ジョブの印刷物を取りに行ってもらうことを依頼する依頼元の端末装置か、前記印刷物を取りに行くことを依頼される依頼先の端末装置かを判定するジョブ受付手段４０１と、前記判定の結果、前記送信元の端末装置が前記依頼元の端末装置である場合に、当該依頼元の端末装置に予め関連付けられた依頼先の端末装置のユーザに当該依頼元の端末装置の印刷ジョブの印刷物を取りに行ってもらうことを依頼する依頼お願い通知を、前記依頼先の端末装置に送信する端末通知手段４０４と、前記依頼先の端末装置から前記依頼元の端末装置のユーザへの依頼了解通知が受信されると、当該依頼元の端末装置の印刷ジョブを、前記依頼先の端末装置の端末ＩＤに関連付けるジョブ関連付け手段４０５とを備える。
【０１００】
これにより、依頼元のユーザが、自己の印刷ジョブを送信した場合に、依頼先のユーザにそれが知れ渡り、依頼元のユーザが、当該依頼先のユーザに自己の印刷物も取りに行ってもらうことを依頼し易くなる。そのため、依頼元のユーザが、特に、足が不自由で、自由に歩けない場合であると、気軽に依頼先のユーザに印刷物の引き取りを依頼し易くなり、心理的な負担を軽減することが出来る。
【０１０１】
尚、本発明の実施形態では、前記ジョブ関連付け手段４０５が、前記依頼元の端末装置の印刷ジョブを、前記依頼先の端末装置の端末ＩＤに関連付けることで、前記依頼先の端末装置のユーザがログインした際に、当該依頼先の端末装置の端末ＩＤに関連付けられた依頼元の端末装置の印刷ジョブが出力されるよう構成したが、他の構成でも構わない。
【０１０２】
例えば、前記ジョブ関連付け手段４０５が、前記依頼元の端末装置の印刷ジョブを、前記依頼先の端末装置の端末ＩＤに関連付けておき、前記依頼先の端末装置のユーザがログインした際に、前記依頼元の端末装置のユーザのパスワードを解除して、当該依頼元の端末装置の印刷ジョブを、前記ログインしたユーザが出力可能とするよう構成してもよい。
【０１０３】
又、本発明の実施形態では、前記ジョブ出力手段４０７が、ユーザのログインにより、当該ログインしたユーザのユーザＩＤに対応する端末ＩＤにジョブが存在するか否かを判定するよう構成したが、他の構成でも構わない。
【０１０４】
例えば、ユーザがログインし、更に、所定のキー（ジョブ出力キーなど）を押下した際に、前記ジョブ出力手段４０７が、前記ログインしたユーザのユーザＩＤに対応する端末ＩＤにジョブが存在するか否かを判定するよう構成しても構わない。
【０１０５】
又、本発明の実施形態では、複合機１００が各手段を備えるよう構成したが、当該各手段を実現するプログラムを記憶媒体に記憶させ、当該記憶媒体を提供するよう構成しても構わない。当該構成では、上記プログラムを複合機１００に読み出させ、その複合機１００が上記各手段を実現する。その場合、上記記録媒体から読み出されたプログラム自体が本発明の作用効果を奏する。さらに、各手段が実行するステップをハードディスクに記憶させる方法として提供することも可能である。
【産業上の利用可能性】
【０１０６】
以上のように、本発明に係る画像形成装置及び画像形成方法は、複合機はもちろん、複写機、プリンタ等に有用であり、足が不自由など何らかの理由により印刷物を取りに行くために労力を要するユーザであっても、他のユーザに気軽に印刷物を取りに行くことを依頼することが可能な画像形成装置及び画像形成方法として有効である。
【符号の説明】
【０１０７】
１００  複合機
４０１  ジョブ受付手段
４０２  ジョブ管理記憶手段
４０３  依頼対象記憶手段
４０４  端末通知手段
４０５  ジョブ関連付け手段
４０６  表示受付手段
４０７  ジョブ出力手段
【図１】
2014004809.tif 000003
【図２】
2014004809.tif 000004
【図３】
2014004809.tif 000005
【図４】
2014004809.tif 000006
【図５】
2014004809.tif 000007
【図６】
2014004809.tif 000008
【図７】
2014004809.tif 000009
【図８】
2014004809.tif 000010
【図９】
2014004809.tif 000011
【図１０】
2014004809.tif 000012
【図１１】
2014004809.tif 000013